(57)【要約】    【課題】    卓上で、簡単に磁気処理できる液体磁気処理装置の提供。    【解決手段】    上端拡開、下端縮小のガラス製管状器具において、下端縮小部分の管を扁平形状に変形させて、磁気印加のギャップを狭くして、磁気の強さを向上させると共に、一体型の磁石を採用し、磁気漏洩を減少させることで、上記課題を解決した。    【選択図】図１
2006055709.tif 000002
【特許請求の範囲】
【請求項１】
上端拡開、下端縮小の液体を通すガラス製管状の器具に於いて、管の下端縮小部分を扁平形状に変形させて、管を流れる液体の通過方向と直角に磁気が印加されるように、径方向に着磁され外周を継鉄で囲まれたリング状、或いは、角筒状の永久磁石を、変形された管の下端縮小部分に挿入装着し、この永久磁石を装着したガラス製変形管状器具を、外装とする円筒と組み合わせて、上端拡開の部分が、円筒の上部に装着できるように構成し、円筒の下方部には下端縮小部より流れ出る液体を受けるため小型の容器が入るよう切欠き部分を設けてなる卓上型液体磁気処理装置。
【請求項２】
上記、請求項１記載の液体を、酒類としたことを、特徴とする、卓上型液体磁気処理装置。
【発明の詳細な説明】
【技術分野】
【０００１】
本発明は永久磁石の磁力によって液体を活性化する液体磁気処理装置に関する。
【背景技術】
【０００２】
従来から水道管内に通水される水道水に対して磁気を作用させることによって赤錆の除去、或いは水道管内におけるスケールの発生防止などが試みられている。
又、水道の給配水への、カルキ臭減少作用については、水道水に投入された塩素は、様々な形で水中に存在し、一部はイオンとなり、一部はバクテリア等の有機物と結合した塩素となり一部は遊離型の塩素となっている、このカルキ臭と呼ばれる悪臭は、前記有機物との結合型塩素が一番強いとされている。そこで水道水を磁気処理すると、この結合塩素が切り離されてイオンの形となり、悪臭が減少するとされている。
（特許文献１参照）
【０００３】
飲料水、清涼飲料、酒類、等の飲み物に対しても、磁気を作用させることで、その旨みを改善したり、保存性を高めることが試みられている。
（特許文献２参照）
【０００４】
しかしながら、これらの水処理装置は水道の蛇口付近に取り付けられたり、或いは、水道管、並びに高架水槽、ボイラー等の給水管、排水管、に取り付けて使用するものが、殆どであった。（特許文献１参照）
【０００５】
近年になって、水道管以外にも、使用できるもの、磁気処理装置を直接水道の蛇口に取り付けることなく、独立した機器として構成したものも開示されている。
（特許文献２参照）
（特許文献３参照）
【０００６】
この様な液体に対する磁気の作用にあっては、対象とされる液体が均一な状態で磁界内に位置付けられるよう構成されることが好ましく、又、対象とされる液体に対しては、より強い磁気を作用させることが好ましいと考えられている。
【０００７】
又、一方で、液体の有している本来の性状などに、何らかの悪影響をもたらさず、液体の循環、供給などにあっても、流体抵抗、発熱、或いは流れに乱れを生じるなどの不都合をもたらさないよう、管体の内部に永久磁石などを設けず、もっぱら管体の外側に対して永久磁石を設けるように配慮することが試みられている。
【特許文献１】特許公報特許３２６９７７４号
【特許文献２】特開２０００−２１０６７３号
【特許文献３】特開平１１−５７７２７号
【特許文献４】特許公報第２９９０２５０号
【特許文献５】昭６１−１４６５６９号
【特許文献６】特開２００４−１７５４４８号
【発明の開示】
【発明が解決しようとする課題】
【０００８】
しかしながら、従来の液体磁気処理に於いては、下記のような欠点があった。
例えば、水道の蛇口に磁気処理装置を取り付けた場合、
残留塩素がなくなるため注意が必要である、カルキが減少することで、時間の経過と共に、雑菌が繁殖しやすくなる。そのような水を保存する場合は清潔な容器に入れ、冷蔵庫等で保存、短時間で利用しなければならない。
【０００９】
より強い磁気を得る為に、各種の試みがあるが、一般的には、一対の永久磁石を夫々、磁性体製のケースに収容し処理流体を挟むように設けて、一方、及び他方の磁石保持ケースを磁気回路の一部として構成した方式が殆どである。
これらの磁極の合わせ目は、夫々の磁力による吸着結合であるが、合わせ目には、磁気漏洩が生じ、周辺への影響、磁力の減少がある。
その上、強力な磁石を使用し、その組み立てを行なう際、夫々の磁石が互いに吸着してしまうような場合があり、特に１００００Gｓ近い強力な磁石である場合、人力で引き
離すことは非常に難しく、大変な工数を要してしまう、欠点があった。
（特許文献３参照）
【００１０】
、
中には、液体を収容する容器の注ぎ口の周囲に着脱可能な係合部を備え、非磁性体であって柔軟物質からなる本体と、係合部の周囲に位置して本体に設けられた複数の永久磁石を備えた物もある。しかし、複数の磁石の磁束は、夫々最短の磁路を通る為、容器の中央部分には、磁束は無く、磁気的には死角となってしまう。また、液体と磁石の間に非磁性体の柔軟物質、主に樹脂が存在した場合、磁気によって柔軟物質は変化し液体に影響する場合もある。
（特許文献４参照）
【００１１】
特別な構成としては、軸方向に磁化された中空盤状永久磁石の奇数を同軸に互いに同極が反発するように組み合わせた物もある。磁石が一体物であるので、組み立て、漏洩に関しては問題ないが、磁石の磁束は最短の磁路を選ぶ為、磁石間の磁力が強く液体の流れの中心部分は磁気的に弱く、従って、径方向の磁化されたリング状の磁石に比べると、磁力の点で、劣っている。
（特許文献５）
【００１２】
最新の開示文献としては、鉄製（磁性体）のヨークを被せた永久磁石を非磁性体のケースで被覆しその上に液体を置く構成のものもある。この構成では、磁力の点で、上記記載の他の装置に比べて、格段に弱い。磁束が充分に液体に届かない。
（特許文献６）
閉磁路を形成し磁束の収束する部分に液体を通過させることが、磁気処理装置としての最良の条件である。
【００１３】
従来、上記のような欠点を補いながら、卓上で簡単に磁気処理できる装置は開発されていない、小型で簡単な構成で、磁力的にも、大型の磁気処理装置に匹敵する、装置の提供が課題である。
【課題を解決するための手段】
【００１４】
本発明は、請求項１記載の、上端拡開、下端縮小の液体を通すガラス製管状の器具において、管の下端縮小部分を扁平状に変形させて、管を流れる液体の通過方向と直角に磁気が印加されるように、径方向に着磁されたリング状、或いは、角筒状の永久磁石を、外周を継鉄によって囲ったものを、扁平状に変形された管の下端縮小部分に挿入装着し、この永久磁石を装着した器具を外装とする円筒と組み合わせて、前記、上端拡開の部分が、円筒の上部に装着できるよう構成し、円筒の下方部には、管の下端縮小部より流れ出る液体を受けるための小型容器が入るように切欠き部分を設けてなる卓上型液体処理装置よって、前記、課題を解決する。
【００１５】
先ず、飲料水等は、時間経過と共に元に戻る事に対しては、口に入る直前に磁化することで、対応できる、本発明は、食卓等、卓上に置き、溜飲する直前に装置の上端拡開部分より液体を流入し磁気印化後の液体を、利用でき、又、飲むことが出来る。
【００１６】
より強い磁気回路を構成するために、本発明は、一体化された永久磁石を採用している、即ち、径方向に着磁された、リング状、或いは、角筒状の永久磁石を使用している、
角筒状の磁石は、角柱より加工によって、中心に穴を開けることで、作製する。この種の特徴は液体に磁場印加する磁路以外には、ギャップを形成してない。従来の一対或いは、複数の磁石の組み合わせでは、組み合わせの作業中にお互いの磁石が吸着しあって、トラブル発生となるが、一体型の磁石を採用することで、組立作業中に発生する、各種の不具合、不都合を回避できる。
【発明の効果】
【００１７】
本発明によれば、従来の装置のように、水道の蛇口に取り付けたり、特別に大きな容器を備えたりすること無く、卓上で、簡単に液体を磁気処理できる。又、一体型の磁石を採用することで、磁力の向上と磁気漏洩の少ない効率的な磁気回路が得られ、磁気が効果的に液体へ印加される。又、卓上型としたことで、磁化印加後に効果が減少するという欠点を補っている、水道水の場合は、飲む直前までカルキを水中に溶かし込んでいて、飲む際には、カルキの悪臭が消えている。
【００１８】
特に、酒類は磁気印加後、早期に飲まないと時間の経過と共に、元の状態に戻ってしまう、その点この装置に使用すれば、磁気印加後、直ぐに飲むことが出来、効果抜群である。徳利の酒を、上端拡開部より流入し、下方の切り欠部にて磁気印加後の酒を盃で受けることが出来る。磁気印加後の酒は、舌ざわり良く、まろやかな味となる。
【００１９】
又、装置の組み立てに関しても、一体化した永久磁石を採用することで、磁力の向上、作業中の各種の不都合を回避でき、従来の不具合を解決できる。
【発明を実施するための最良の形態】
【００２０】
次に、図面に基づき本発明の実施形態を説明する。図１は本発明の卓上型液体磁気処理装置の斜視図である。円筒状の外装１は、竹製で、外観的にも見栄えがする。
卓上なので、使用しない状態では、上端拡開部分には蓋２、が付属されている。
３は下端縮小の一部分である。
【００２１】
図２はその断面図で、外装１に、ガラス製変形管状の器具３が、外装としての円筒に上部拡開の部分で装着されている。
【００２２】
図３、４は上端拡開、下端縮小、且つ、下端縮小部分を変形させたガラス製変形管状の器具の正面図、図３、側面図、図４で、変形された下端縮小の管の断面は磁力向上のため、磁気回路のギャップを出来るだけ狭くする為、扁平形状となっている、対向する長辺を挟んで磁気が印加されるよう構成され、磁石５、の側面は四面とも磁性体の継鉄４、で囲われて磁気の漏洩は殆ど無い状態である。
【００２３】
図５、は液体に磁化印加する為の径方向着磁の角筒型永久磁石と継鉄との構成をガラス製変形管状の下面より見た図である。上端拡開のガラス製変形管状の器具３、継鉄４、角筒型永久磁石５の関係を示している。
従来の一対の或いは、複数の磁極の組み合わせでは磁路内のギャップは３箇所となっているが、一体型の磁石の場合は、一箇所で、磁気漏洩の点で従来のものと差がある。
【００２４】
継鉄の板厚は、この装置では重要である、磁石の磁束を充分吸収できるだけの、磁路に対する、断面積が必要で、断面積が不足していると、磁束の漏洩の原因となる。
本発明の装置では、厚さ４ｍｍの鉄製を使用しているが、最低でも３ｍｍは必要である。従来の装置では、この点が考慮されていない。
【００２５】
本発明の特徴は、上端拡開、下端縮小、尚且つ、縮小部を扁平に変形して、出来る限狭いギャップを形成して液体の流路とし、その部分に磁気を印加することで、従来の大きな磁気処理装置と同様な効果が得られることである。
水道管に取り付けた場合の、一般的に水道管の径は１５ｍｍ〜１７ｍｍ、市販品の漏斗
の足の部分の径は１０ｍｍである、本発明の上端拡開、下端縮小のガラス製変形管状の器具の扁平部の寸法は、６ｍｍである、磁界のギャップによる変化は、指数的に変化し
現在市販されている希土類磁石では、１０ｍｍのギャップで、６５００〜７０００Gｓ
6mmギャップで、８５００〜１００００G  の磁場強度が得られる。
１５ｍｍ〜１７mmでは、３０００G程度の磁場強度である。
【００２６】
従来から、磁気によって液体が活性化し、飲料水（特に水道水）、清涼飲料、酒、等の旨みが改善されたと言う、特許文献はあるが、詳細に関しては周知の技術である為、として、省略されている、数値的な裏付けは示されてなかった。
今回、本発明者らは、屈折計を使用して、酒類の磁場による変化を調べ、数値的にその変化を示すことが出来た。表１は、酒に磁場を印加した際の、Brix計の数値を示している、この数値は、屈折率と比例関係にあり、数値の大小は、屈折率の大小となる、又、屈折率が小さいことは、密度が小さいことを示している、磁場を印加することで、密度が小さくなる、即ち、分子が細かくなる、従って、舌あたりが、滑らかになることが、明らかになった。
【００２７】
【表１】
2006055709.tif 000003
【００２８】
又、磁気印加の影響は、時間の経過と共に、減少していくことも確認でき、アルコール類は特に早い時期に元に戻ることも判明した。
【図面の簡単な説明】
【００２９】
【図１】本発明の卓上型液体処理装置の斜視図である。
【図２】本発明の卓上型液体処理装置の断面図である。
【図３】本発明のガラス製変形管状器具に継鉄、磁石が装着された平面図
【図４】本発明のガラス製変形管状器具に継鉄、磁石が装着された側面図
【図５】本発明の角筒型永久磁石と継鉄との構成を、ガラス製変形管状器具の下方より見た図である。
【符号の説明】
【００３０】
１    外装
２    蓋
３    ガラス製変形管状器具の下端縮小部分
４    ガラス製変形管状器具
５    角筒型永久磁石
６    継鉄（ヨーク）
【図１】
2006055709.tif 000004
【図２】
2006055709.tif 000005
【図３】
2006055709.tif 000006
【図４】
2006055709.tif 000007
【図５】
2006055709.tif 000008